(57)【特許請求の範囲】
【請求項１】
鉄鋼プラントの設備と圧延材との動作を示す仮想空間の映像情報と前記鉄鋼プラントの操作室に存在する操作者の視界に対応した映像情報と前記操作者の視線に対応した映像情報とをタイミングを合わせて同時にリアルタイムで表示装置に表示させる際に、視界に対応した映像情報に重畳して前記操作者の視線に対応した映像情報を表示させる表示制御部、
を備え、
前記表示制御部は、外部からの操作に基づいて、前記操作者の視界に対応した映像情報として、前記操作者に着用された視界情報収集装置により収集された視界の映像情報と前記操作者の視界を示す仮想空間の映像情報との中から一つの映像情報を選択する鉄鋼プラントの分析支援装置。
【請求項２】
前記表示制御部は、外部からの操作に基づいて、前記操作者の視界に対応した映像情報として、前記操作者に着用された視界情報収集装置により収集された視界の映像情報と前記操作者の視界を示す仮想空間の映像情報と前記操作者の後方に設けられたカメラにより撮影された映像情報との中から一つの映像情報を選択する請求項１に記載の鉄鋼プラントの分析支援装置。
【請求項３】
前記表示制御部は、前記操作者の視界を示す仮想空間の映像情報を前記操作者の視界に対応した映像情報とし、前記操作者の視界を示す仮想空間の映像情報に前記鉄鋼プラントの設備を撮影するカメラの映像情報を表示するモニターを示す映像情報が含まれる場合は、当該モニターを示す映像情報に当該カメラの映像情報を重ねて前記表示装置に表示させる請求項１または請求項２に記載の鉄鋼プラントの分析支援装置。
【請求項４】
前記表示制御部は、前記操作者の視界を示す仮想空間の映像情報を前記操作者の視界に対応した映像情報とし、前記操作者の視界を示す仮想空間の映像情報に前記鉄鋼プラントにおける生産状況を示す映像情報と設備状況を示す映像情報とを表示するモニターを示す映像情報が含まれる場合は、当該モニターを示す映像情報に前記鉄鋼プラントにおける生産状況を示す映像情報と設備状況を示す映像情報とを重ねて前記表示装置に表示させる請求項１から請求項３のいずれか１項に記載の鉄鋼プラントの分析支援装置。
【請求項５】
前記表示制御部は、前記鉄鋼プラントの設備と圧延材との動作を示す仮想空間の映像情報と前記鉄鋼プラントの操作室に存在する操作者の視界に対応した映像情報と前記操作者の視線に対応した映像情報と前記操作者による前記設備の制御修正操作に対応したグラフの映像情報とをタイミングを合わせて同時に前記表示装置に表示させる請求項１から請求項４のいずれか１項に記載の鉄鋼プラントの分析支援装置。
【請求項６】
前記表示制御部は、前記鉄鋼プラントの設備と圧延材との動作を示す仮想空間の映像情報と前記鉄鋼プラントの操作室に存在する操作者の視界に対応した映像情報と前記操作者の視線に対応した映像情報と前記鉄鋼プラントの各種の映像情報とをタイミングを合わせて同時に前記表示装置に表示させる請求項１から請求項５のいずれか１項に記載の鉄鋼プラントの分析支援装置。
【請求項７】
前記表示装置に表示される映像情報に対応した情報を記録する記録部、
を備え、
前記表示制御部は、圧延材が指定された際に、前記記録部に記録された情報に基づいて当該圧延材についての映像情報を前記表示装置に表示させる請求項１から請求項６のいずれか１項に記載の鉄鋼プラントの分析支援装置。
【請求項８】
前記表示制御部は、２つの圧延材が指定された際に、当該２つの圧延材について、前記鉄鋼プラントの設備と圧延材との動作を示す仮想空間の映像情報と前記操作者の視界に対応した映像情報と前記操作者の視線に対応した映像情報とを並べて前記表示装置に表示させ、当該２つの圧延材について、前記操作者による前記設備の制御修正操作に対応したグラフの映像情報を同じグラフの上に重ねて前記表示装置に表示させる請求項７に記載の鉄鋼プラントの分析支援装置。
【請求項９】
前記表示制御部は、設定に応じて、前記鉄鋼プラントの設備と圧延材との動作を示す仮想空間の映像情報において当該設備と当該圧延材との縮尺を変更し得るように設けられた請求項１から請求項８のいずれか１項に記載の鉄鋼プラントの分析支援装置。
【請求項１０】
前記表示制御部は、設定に応じて、前記鉄鋼プラントの設備と圧延材との動作を示す仮想空間の映像情報において使用目的を果たす範囲で省略し得るように設けられた請求項１から請求項９のいずれか１項に記載の鉄鋼プラントの分析支援装置。
【請求項１１】
前記表示制御部は、設定に応じて、前記鉄鋼プラントの設備と圧延材との動作を示す仮想空間の映像情報における前記鉄鋼プラントの位置を変更し得るように設けられた請求項１から請求項１０のいずれか１項に記載の鉄鋼プラントの分析支援装置。
【請求項１２】
前記表示制御部は、設定に応じて、前記鉄鋼プラントの設備と圧延材との動作を示す仮想空間の映像情報における前記鉄鋼プラントの角度を変更し得るように設けられた請求項１から請求項１１のいずれか１項に記載の鉄鋼プラントの分析支援装置。
【請求項１３】
前記表示制御部は、前記操作者によるボタンとレバーと入力端末とのうちの少なくとも１つの修正操作を示す文字情報または図形情報を前記操作者の視界に対応した映像情報に重ねて前記表示装置に表示させる請求項１から請求項１２のいずれか１項に記載の鉄鋼プラントの分析支援装置。
【発明の詳細な説明】
【技術分野】
【０００１】
この発明は、鉄鋼プラントの分析支援装置に関する。
【背景技術】
【０００２】
特許文献１は、プラント運転監視装置を開示する。特許文献１に記載のプラント運転監視装置は、過去の操作に対する情報分析を支援する。
【先行技術文献】
【特許文献】
【０００３】
【特許文献１】日本特許第５５７５６１７号公報
【発明の概要】
【発明が解決しようとする課題】
【０００４】
しかしながら、鉄鋼プラントにおいて、操作者は、複数の機器、モニター、実際の設備、圧延材等を見て状況判断している。このため、鉄鋼プラントの分析支援装置として特許文献１に記載のプラント運転監視装置を適用しても、設備と圧延材との動作状況と操作者の視界と視線との関係性を分析者に提示することができない。その結果、正確に効率よく分析者へ技術と技能とを伝達することができない。【０００５】
この発明は、上述の課題を解決するためになされた。この発明の目的は、設備と圧延材との動作状況と操作者の視界と視線との関係性を提示することができる鉄鋼プラントの分析支援装置を提供することである。
【課題を解決するための手段】
【０００６】
この発明に係る鉄鋼プラントの分析支援装置は、鉄鋼プラントの設備と圧延材との動作を示す仮想空間の映像情報と前記鉄鋼プラントの操作室に存在する操作者の視界に対応した映像情報と前記操作者の視線に対応した映像情報とをタイミングを合わせて同時にリアルタイムで表示装置に表示させる際に、視界に対応した映像情報に重畳して前記操作者の視線に対応した映像情報を表示させる表示制御部、を備え、前記表示制御部は、外部からの操作に基づいて、前記操作者の視界に対応した映像情報として、前記操作者に着用された視界情報収集装置により収集された視界の映像情報と前記操作者の視界を示す仮想空間の映像情報との中から一つの映像情報を選択する。
【発明の効果】
【０００７】
この発明によれば、表示装置は、鉄鋼プラントの設備と圧延材との動作を示す仮想空間の映像情報と操作者の視界に対応した映像情報と操作者の視線に対応した映像情報とをタイミングを合わせて同時に表示する。このため、設備と圧延材との動作状況と操作者の視界と視線との関係性を提示することができる。
【図面の簡単な説明】
【０００８】
【図１】この発明の実施の形態１における鉄鋼プラントの分析支援装置が適用される鉄鋼プラントの操作室の機器構成を示す図である。
【図２】この発明の実施の形態１における鉄鋼プラントの分析支援装置による表示装置の出力画面を説明するための図である。
【図３】この発明の実施の形態１における鉄鋼プラントの分析支援装置による操作者の視界に対応した映像情報を説明するための図である。
【図４】この発明の実施の形態１における鉄鋼プラントの分析支援装置を含む分析支援システムの構成を説明するためのブロック図である。
【図５】この発明の実施の形態１における鉄鋼プラントの分析支援装置による比較表示を説明するための図である。
【図６】この発明の実施の形態１における鉄鋼プラントの分析支援装置の動作の概要を説明するためのフローチャートである。
【図７】この発明の実施の形態１における鉄鋼プラントの分析支援装置のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１はこの発明の実施の形態１における鉄鋼プラントの分析支援装置が適用される鉄鋼プラントの操作室の機器構成を示す図である。
【００１１】
図１において、設備１は、鉄鋼プラントに設けられる。窓２は、透明な素材で形成される。窓２は、鉄鋼プラントと操作室とを区切る壁に設けられる。
【００１２】
操作机３は、操作室に設けられる。制御修正入力装置４は、操作机３に設けられる。例えば、制御修正入力装置４は、ボタンとレバーとを備える。入力端末５は、操作机３に設けられる。複数のモニター６は、操作机３に設けられる。
【００１３】
複数のモニター７は、操作室の任意の位置に設けられる。例えば、複数のモニター７は、窓２の上方に設けられる。カメラ８は、操作室において操作机３の後方に設けられる。
【００１４】
例えば、分析支援装置９と表示装置１０とは、操作室に設けられる。例えば、分析支援装置９と表示装置１０とは、操作室とは別の部屋に設けられる。
【００１５】
視界情報収集装置１１は、操作者１２に着用される。
【００１６】
設備１は、圧延材１００を加工する。複数のモニター６は、操作者１２に対して必要な多くの情報を表示する。例えば、複数のモニター６は、センサーにより計測された圧延材１００、アクチュエータ等の物理量を示すグラフの映像情報を表示する。例えば、複数のモニター６は、鉄鋼プラントの全体的な生産状況を示す表の映像情報を表示する。複数のモニター７は、設備１の周辺に設けられたカメラ（図示されず）により撮影された映像情報を表示する。例えば、複数のモニター７は、窓２から見ることができない設備１の映像情報を表示する。
【００１７】
操作者１２は、視界情報収集装置１１を着用した状態で窓２のガラスを通して設備１を見る。操作者１２は、圧延材１００が設備１により加工される様子も見る。操作者１２は、複数のモニター６に表示された映像情報と複数のモニター７に表示された映像情報とに基づいて鉄鋼プラントの状態を全体的に把握する。例えば、操作者１２は、複数のモニター６に表示された映像情報と複数のモニター７に表示された映像情報とに基づいて設備１と圧延材１００との動作状況を把握する。
【００１８】
操作者１２は、必要に応じて設備１に対する修正操作を施す。例えば、操作者１２は、制御修正入力装置４のボタンとレバーと入力端末５とのうちの少なくとも１つを操作して設備１に対する修正操作を施す。
【００１９】
この際、視界情報収集装置１１は、操作者１２の視界の映像情報と視線の情報を収集する。
【００２０】
分析支援装置９は、視界情報収集装置１１により収集された情報等に基づいて鉄鋼プラントの設備１と圧延材１００との動作を示す仮想空間の映像情報と操作者１２の視界に対応した映像情報と操作者１２の視線に対応した映像情報とをタイミングを合わせて同時に表示装置１０に表示させる。
【００２１】
例えば、分析者１３は、操作者１２と同位の経験者である。例えば、分析者１３は、操作者１２よりも経験の浅い後継者である。分析者１３は、表示装置１０に表示された映像情報に基づいて時々刻々の鉄鋼プラントの操業の状態と操作者１２の視界と視線との動きとを把握する。
【００２２】
次に、図２を用いて、表示装置１０の出力画面を説明する。
図２はこの発明の実施の形態１における鉄鋼プラントの分析支援装置による表示装置の出力画面を説明するための図である。
【００２３】
図２に示されるように、表示装置１０は、上部において鉄鋼プラントの設備１と圧延材１００との時々刻々の動作を示す仮想空間の映像情報１４を表示する。表示装置１０は、小ウィンドウにおいて操作者１２の時々刻々の視界に対応した映像情報１５を表示する。表示装置１０は、操作者１２の時々刻々の視界に対応した映像情報１５の中に操作者１２の時々刻々の視線に対応した映像情報１６を重ねて表示する。表示装置１０は、操作者１２の時々刻々の視界に対応した映像情報１５の中に操作者１２による時々刻々の制御修正入力装置４のボタンとレバーと入力端末５とのうちの少なくとも１つの修正操作に対応した文字情報または図形情報を重ねて表示する。表示装置１０は、小ウィンドウにおいて操作者１２の時々刻々の制御修正量を示すグラフの映像情報１７を表示する。
【００２４】
この際、表示装置１０は、仮想空間の映像情報１４と操作者１２の視界に対応した映像情報１５と操作者１２の視線に対応した映像情報１６と操作者１２の時々刻々の制御修正入力装置４のボタンとレバーと入力端末５との修正操作に対応した文字情報または図形情報と操作者１２の時々刻々の制御修正量を示すグラフの映像情報１７とをタイミングを合わせて同時に表示装置１０に表示させる。
【００２５】
例えば、表示装置１０は、設定に応じて、鉄鋼プラントの設備１と圧延材１００との動作を示す仮想空間の映像情報１４において実際の寸法に対して当該設備１と当該圧延材１００との縮尺を変更する。例えば、表示装置１０は、設定に応じて、鉄鋼プラントの設備１と圧延材１００との動作を示す仮想空間の映像情報１４において使用目的を果たす範囲で省略する。例えば、表示装置１０は、設定に応じて、鉄鋼プラントの設備１と圧延材１００との動作を示す仮想空間の映像情報１４における鉄鋼プラントの位置を変更する。例えば、表示装置１０は、鉄鋼プラントの設備１と圧延材１００との動作を示す仮想空間の映像情報１４における鉄鋼プラントの角度を変更する。
【００２６】
次に、図３を用いて、操作者１２の視界に対応した映像情報１５を説明する。
図３はこの発明の実施の形態１における鉄鋼プラントの分析支援装置による操作者の視界に対応した映像情報を説明するための図である。
【００２７】
図３において、操作者１２の視界に対応した映像情報１５は、外部からの操作に基づいて選択される。例えば、操作者１２の視界に対応した映像情報１５として、視界情報収集装置１１により収集された視界の映像情報が選択される。例えば、操作者１２の視界に対応した映像情報１５として、操作者１２の視界を示す仮想空間の映像情報が選択される。例えば、操作者１２の視界に対応した映像情報１５として、カメラ８により撮影された映像情報が選択される。
【００２８】
操作者１２の視界を示す仮想空間の映像情報にモニター７を示す映像情報１８が含まれる場合、表示装置１０は、当該モニター７を示す映像情報に実際のカメラの時々刻々の映像情報を重ねて表示する。操作者１２の視界を示す仮想空間の映像情報にモニター６を示す映像情報１９が含まれる場合、表示装置１０は、当該モニター６を示す映像情報に鉄鋼プラントにおける生産状況を示す映像情報と設備状況を示す映像情報とを重ねて表示する。
【００２９】
次に、図４を用いて、分析支援装置９を含む分析支援システムの構成を説明する。
図４はこの発明の実施の形態１における鉄鋼プラントの分析支援装置を含む分析支援システムの構成を説明するためのブロック図である。
【００３０】
図４において、分析支援システムは、分析支援装置９と視界情報収集装置１１の他、制御修正量収集装置２０と実績情報収集装置２１と圧延材搬送計算装置２２とを備える。
【００３１】
制御修正量収集装置２０は、操作者１２の操作による時々刻々の制御修正量の情報を収集する。実績情報収集装置２１は、時々刻々の圧延材１００のトラッキングの実績の情報を収集する。
【００３２】
分析支援装置９は、圧延材搬送計算部９ａと記録部９ｂと表示情報生成部９ｃと表示切替部９ｄと表示制御部９ｅとを備える。
【００３３】
圧延材搬送計算部９ａは、時々刻々の圧延材１００のトラッキングの実績の情報に基づいて時々刻々の圧延材１００の搬送状態を計算する。具体的には、圧延材搬送計算部９ａは、時々刻々の圧延材１００の正確な位置情報を計算する。
【００３４】
記録部９ｂは、視界情報収集装置１１により収集された視界の映像情報と視線の情報とを記録する。記録部９ｂは、制御修正量収集装置２０により収集された制御修正量の情報を記録する。記録部９ｂは、実績情報収集装置２１により収集された実績の情報を記録する。記録部９ｂは、圧延材搬送計算装置２２により計算された圧延材１００の搬送状態の情報を記録する。
【００３５】
表示情報生成部９ｃは、時々刻々に動作する。表示情報生成部９ｃは、記録部９ｂに記録された視界の映像情報と視線の情報と制御修正量の情報と実績の情報と圧延材１００の搬送状態の情報とに基づいて表示情報を生成する。表示情報生成部９ｃは、表示情報を記録部９ｂに記録させる。
【００３６】
表示切替部９ｄは、モード切替部２３ａと比較表示選択部２３ｂと圧延材選択部２３ｃとを備える。
【００３７】
モード切替部２３ａは、外部からの操作に応じて表示モードを切り替える。具体的には、モード切替部２３ａは、外部からの操作に応じてリアルタイムモードとプレイバックモードとのうちのいずれかの表示モードを選択する。比較表示選択部２３ｂは、外部からの操作に応じて比較表示の有無を選択する。圧延材選択部２３ｃは、外部からの操作に応じて圧延材１００を選択する。
【００３８】
表示制御部９ｅは、表示切替部９ｄによる設定に応じて鉄鋼プラントの時々刻々の各種の表示情報を図４においては図示されない表示装置１０に表示させる。この際、表示制御部９ｅは、表示情報生成部９ｃにより生成された表示情報を表示装置１０に表示させる。例えば、リアルモードが選択されている場合、表示制御部９ｅは、現時点における鉄鋼プラントの時々刻々の各種の情報を表示装置１０に表示させる。例えば、プレイバックモードにおいて圧延材１００が選択されている場合、表示制御部９ｅは、当該圧延材１００の圧延後の任意のタイミングにおいて鉄鋼プラントの時々刻々の各種の情報を表示装置１０に表示させる。
【００３９】
次に、図５を用いて、比較表示を説明する。
図５はこの発明の実施の形態１における鉄鋼プラントの分析支援装置による比較表示を説明するための図である。
【００４０】
図５に示されるように、比較表示選択部２３ｂにより比較表示が選択された状態で圧延材選択部２３ｃにより２つの圧延材１００が選択された場合、表示制御部９ｅは、当該２つの圧延材１００について、鉄鋼プラントの設備１と圧延材１００との動作を示す仮想空間の映像情報１４と操作者１２の視界に対応した映像情報１５と操作者１２の視線に対応した映像情報１６とを並べて表示装置１０に表示させる。表示制御部９ｅは、当該２つの圧延材１００について、操作者１２による設備１の制御修正操作に対応したグラフの映像情報１７を同じグラフの上に重ねて表示装置１０に表示させる。
【００４１】
次に、図６を用いて、分析支援装置９の動作の概要を説明する。
図６はこの発明の実施の形態１における鉄鋼プラントの分析支援装置の動作の概要を説明するためのフローチャートである。
【００４２】
ステップＳ１では、分析支援装置９は、表示モードの設定を認識する。
【００４３】
ステップＳ１でリアルモードが設定されている場合、分析支援装置９は、ステップＳ２の動作を行う。ステップＳ２では、分析支援装置９は、現時点における鉄鋼プラントの時々刻々の各種の情報を表示装置１０に表示させる。その後、分析支援装置９は、ステップＳ１の動作を行う。
【００４４】
ステップＳ１でプレイバックモードが設定されている場合、分析支援装置９は、ステップＳ３の動作を行う。ステップＳ３では、分析支援装置９は、比較表示が設定されているか否かを判定する。
【００４５】
ステップＳ３で比較表示が設定されていない場合、分析支援装置９は、ステップＳ４の動作を行う。ステップＳ４では、分析支援装置９は、圧延材１００が選択されているか否かを判定する。ステップＳ４で圧延材１００が指定されていない場合、分析支援装置９は、ステップＳ１の動作を行う。ステップＳ４で圧延材１００が指定されている場合、分析支援装置９は、ステップＳ５の動作を行う。
【００４６】
ステップＳ５では、分析支援装置９は、当該圧延材１００の圧延後において鉄鋼プラントの時々刻々の各種の情報を表示装置１０に表示させる。その後、分析支援装置９は、ステップＳ１の動作を行う。
【００４７】
ステップＳ３で比較表示が設定されている場合、分析支援装置９は、ステップＳ６の動作を行う。ステップＳ６では、分析支援装置９は、２つの圧延材１００が指定されているか否かを判定する。ステップＳ６で２つの圧延材１００が指定されていない場合、分析支援装置９は、ステップＳ１の動作を行う。ステップＳ６で２つの圧延材１００が指定されている場合、分析支援装置９は、ステップＳ７の動作を行う。
【００４８】
ステップＳ７では、分析支援装置９は、当該２つの圧延材１００の圧延後において鉄鋼プラントの時々刻々の各種の情報を表示装置１０に表示させる。その後、分析支援装置９は、ステップＳ１の動作を行う。
【００４９】
以上で説明した実施の形態１によれば、表示装置１０は、鉄鋼プラントの設備１と圧延材１００との動作を示す仮想空間の映像情報１４と操作者１２の視界に対応した映像情報１５と操作者１２の視線に対応した映像情報１６とをタイミングを合わせて同時にリアルタイムで表示する。この際、表示装置１０は、視界に対応した映像情報に重畳して前記操作者の視線に対応した映像情報を表示する。このため、設備１と圧延材１００との動作状況と操作者１２の視界と視線との関係性を提示することができる。
【００５０】
分析者１３は、表示装置１０の表示を見れば、頭の中で想像することなく直感的に設備１の操業状態と操作者１２の思考過程とを把握することができる。このため、分析者１３は、正確に効率良くそれらの動作を理解することができる。この方法を熟練者から後継者への技術と技能との伝達に利用すれば、後継者は、頭の中で情報を組み立てることなく、正確に効率良く操作方法を習得することができる。例えば、後継者は、複数の機器、モニター、実際の設備１、圧延材１００等を見ての状況判断の方法を習得することができる。
【００５１】
また、操作者１２の視界に対応した映像情報１５として、視界情報収集装置１１により収集された視界の映像情報が選択される。このため、分析者１３に対し、操作者１２の視界を正確に伝達することができる。
【００５２】
また、操作者１２の視界に対応した映像情報１５として、操作者１２の視界を示す仮想空間の映像情報が選択される。このため、分析者１３に対し、操作者１２の視界において特に注意すべき個所を誇張して伝達することができる。
【００５３】
また、操作者１２の視界を示す仮想空間の映像情報にカメラの映像情報を表示するモニター７を示す映像情報が含まれる場合、表示装置１０は、当該モニター７を示す映像情報に当該カメラの映像情報を重ねて表示する。このため、分析者１３に対し、設備１の動作状況を正確に伝達することができる。
【００５４】
また、操作者１２の視界を示す仮想空間の映像情報に鉄鋼プラントにおける生産状況を示す映像情報と設備状況を示す映像情報とを表示するモニター６を示す映像情報が含まれる場合、表示装置１０は、モニター６を示す映像情報に鉄鋼プラントにおける生産状況を示す映像情報と設備状況を示す映像情報とを重ねて表示する。このため、分析者１３に対し、設備１の動作状況を正確に伝達することができる。
【００５５】
また、操作者１２の視界に対応した映像情報１５として、カメラ８により撮影された映像情報が選択される。このため、分析者１３に対し、操作者１２の操作も含めた映像情報を伝達することができる。
【００５６】
また、操作者１２の視線に対応した映像情報１５は、視界情報収集装置１１により収集された視界の映像情報と操作者１２の視界を示す仮想空間の映像情報とカメラ８により撮影された映像情報との中から選択される。このため、状況に応じて、より適切な映像情報を選択することができる。
【００５７】
また、表示装置１０は、設備１の制御修正操作に対応したグラフの映像情報もタイミングを合わせて同時に表示する。このため、分析者１３に対し、具体的な制御修正内容を伝達することができる。
【００５８】
なお、表示装置１０において、鉄鋼プラントの各種の映像情報もタイミングを合わせて同時に表示してもよい。この場合、分析者１３に対し、鉄鋼プラントの状況をより正確に伝達することができる。
【００５９】
また、表示装置１０は、圧延材１００が指定された際に分析支援装置に記録された情報に基づいて当該圧延材１００の映像情報を表示する。このため、分析者１３に対し、当該圧延材１００の圧延後の任意のタイミングで当該圧延材１００の圧延状況を伝達することができる。
【００６０】
また、表示装置１０は、２つの圧延材１００が指定された際に当該２つの圧延材１００について鉄鋼プラントの設備１と圧延材１００との動作を示す仮想空間の映像情報１４と操作者１２の視界に対応した映像情報１５と操作者１２の視線に対応した映像情報１６とを並べて表示する。この際、表示装置１０は、当該２つの圧延材１００について操作者１２による設備１の制御修正操作に対応したグラフの映像情報１７を同じグラフの上に重ねて表示する。このため、分析者１３に対し、２つの圧延材１００についての比較を行うための映像情報を提供することができる。
【００６１】
また、表示装置１０は、設定に応じて、鉄鋼プラントの設備１と圧延材１００との動作を示す仮想空間の映像情報において実際の寸法に対して当該設備１と当該圧延材１００との縮尺を変更する。このため、分析者１３に対し、当該設備１と当該圧延材１００とにおいて特に注意すべき個所を伝達することができる。
【００６２】
また、表示装置１０は、設定に応じて、鉄鋼プラントの設備１と圧延材１００との動作を示す仮想空間の映像情報において使用目的を果たす範囲で省略する。このため、分析者１３に対し、当該設備１と当該圧延材１００とにおいて特に注意すべき個所を伝達することができる。
【００６３】
また、表示装置１０は、設定に応じて、鉄鋼プラントの設備１と圧延材１００との動作を示す仮想空間の映像情報における鉄鋼プラントの位置を変更する。このため、分析者１３に対し、当該設備１と当該圧延材１００とにおいて特に注意すべき個所を伝達することができる。
【００６４】
また、表示装置１０は、設定に応じて、鉄鋼プラントの設備１と圧延材１００との動作を示す仮想空間の映像情報における鉄鋼プラントの角度を変更する。このため、分析者１３に対し、当該設備１と当該圧延材１００とにおいて特に注意すべき個所を伝達することができる。
【００６５】
また、表示装置１０は、操作者１２の時々刻々の視界に対応した映像情報１５の中に操作者１２による時々刻々の制御修正入力装置４のボタンとレバーと入力端末５とのうちの少なくとも１つの制御修正操作に対応した文字情報または図形情報を重ねて表示する。このため、分析者１３に対し、操作者１２の制御修正操作を正確に伝達することができる。
【００６６】
次に、図７を用いて、分析支援装置９の例を説明する。
図７はこの発明の実施の形態１における鉄鋼プラントの分析支援装置のハードウェア構成図である。
【００６７】
分析支援装置９の各機能は、処理回路により実現し得る。例えば、処理回路は、少なくとも１つのプロセッサ２４ａと少なくとも１つのメモリ２４ｂとを備える。例えば、処理回路は、少なくとも１つの専用のハードウェア２５を備える。
【００６８】
処理回路が少なくとも１つのプロセッサ２４ａと少なくとも１つのメモリ２４ｂとを備える場合、分析支援装置９の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ２４ｂに格納される。少なくとも１つのプロセッサ２４ａは、少なくとも１つのメモリ２４ｂに記憶されたプログラムを読み出して実行することにより、分析支援装置９の各機能を実現する。少なくとも１つのプロセッサ２４ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ２４ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６９】
処理回路が少なくとも１つの専用のハードウェア２５を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、分析支援装置９の各機能は、それぞれ処理回路で実現される。例えば、分析支援装置９の各機能は、まとめて処理回路で実現される。
【００７０】
分析支援装置９の各機能について、一部を専用のハードウェア２５で実現し、他部をソフトウェアまたはファームウェアで実現してもよい。例えば、表示制御部９ｅの機能については専用のハードウェア２５としての処理回路で実現し、表示制御部９ｅの機能以外の機能については少なくとも１つのプロセッサ２４ａが少なくとも１つのメモリ２４ｂに格納されたプログラムを読み出して実行することにより実現してもよい。
【００７１】
このように、処理回路は、ハードウェア２５、ソフトウェア、ファームウェア、またはこれらの組み合わせで分析支援装置９の各機能を実現する。
【産業上の利用可能性】
【００７２】
以上のように、この発明に係る鉄鋼プラントの分析支援装置は、設備と圧延材との動作状況と操作者の視界と視線との関係性を提示するシステムに利用できる。
【符号の説明】
【００７３】
１  設備、  ２  窓、  ３  操作机、  ４  制御修正入力装置、  ５  入力端末、  ６  モニター、  ７  モニター、  ８  カメラ、  ９  分析支援装置、  ９ａ  圧延材搬送計算部、  ９ｂ  記録部、  ９ｃ  表示情報生成部、  ９ｄ  表示切替部、  ９ｅ  表示制御部、  １０  表示装置、  １１  視界情報収集装置、  １２  操作者、  １３  分析者、  １４  映像情報、  １５  映像情報、  １６  映像情報、  １７  映像情報、  １８  映像情報、  １９  映像情報、  ２０  制御修正量収集装置、  ２１  実績情報収集装置、  ２３ａ  モード切替部、  ２３ｂ  比較表示選択部、  ２３ｃ  圧延材選択部、  ２４ａ  プロセッサ、  ２４ｂ  メモリ、  ２５  ハードウェア、  １００  圧延材
【図１】
0006717423.tif 000002
【図２】
0006717423.tif 000003
【図３】
0006717423.tif 000004
【図４】
0006717423.tif 000005
【図５】
0006717423.tif 000006
【図６】
0006717423.tif 000007
【図７】
0006717423.tif 000008